(57)【要約】【課題】べた基礎の立上り隅部構築用鉄筋ユニットとして、構造がコンパクトで低コストの隅補強手段を組付けたものを提供する。【解決手段】屈曲ベース筋１２ａ併有縦筋１２と一対の直交横筋部１３ａを有する直角屈折横筋１３を、それぞれ横方向と縦方向に間隔をおいて直交状態でスポット溶接して形成したべた基礎の入隅部構築用の鉄筋ユニット本体１１の入隅に、中央部に部分方形状の肋筋部２１ａを有する補強屈折横筋１６を、補強縦筋２２及び補強ベース筋２３ａ併有補強縦筋２３と、直交させてスポット溶接して形成した隅補強鉄筋ユニット２０を、補強屈折横筋２１の両端部を、鉄筋ユニット本体１１の直角屈折横筋１３の直交横筋部１３ａ、１３ｂにスポット溶接することにより、一体的に組付ける。【選択図】        図１
2004169279.tif 000002
【特許請求の範囲】
【請求項１】
複数本のベース筋併有縦筋と一対の直交横筋部を有する複数本の直角屈折横筋を、それぞれ横方向と縦方向に間隔をおいて直交状態で溶接した鉄筋ユニット本体の隅に、中央部に肋筋部を有する複数本の補強屈折横筋を、縦方向に鉄筋ユニット本体の直角屈折横筋と同間隔をおいて、少なくとも１本の補強縦筋と、補強屈折横筋の肋筋部において直交溶接してなる隅補強鉄筋ユニットを、各補強屈折横筋の両端部の鉄筋ユニット本体の各直角屈折横筋の一対の直交横筋部に対する溶接を介して組付けてなる、べた基礎の立上り隅部構築用鉄筋ユニット。
【発明の詳細な説明】
【０００１】
【発明の属する技術分野】
この発明は、住宅等のべた基礎の立上り隅部（入隅部、出隅部）を構築するために用いる鉄筋ユニットに関するものである。
【０００２】
【従来の技術】
この種の鉄筋ユニットとしては、複数本のベース筋併有縦筋と一対の直交筋部を有する複数本の直交屈折横筋を、相互に間隔をおいて直交溶接したものが周知である（例えば、特許文献１）。
【０００３】
【特許文献１】
特開平９−２４２２５７号公報
【０００４】
【発明が解決しようとする課題】
上記の周知の鉄筋ユニットは、製作や配筋作業の面では特段の問題はないが、近年における住宅等の耐震強度の見直しの点から、特に隅（入隅、出隅）について若干の強度不足が指摘されている。
【０００５】
この発明は、上記のような周知の鉄筋ユニットにおける隅の強度不足の指摘に鑑み、べた基礎の隅部構築用鉄筋ユニットとして、構造がコンパクトで低コストの隅補強手段を備えたものを提供することを課題としている。
【０００６】
【課題を解決するための手段】
この発明によれば、上記の課題は、複数本のベース筋併有縦筋と一対の直交横筋部を有する複数本の直角屈折横筋を、それぞれ横方向と縦方向に間隔をおいて直交状態で溶接した鉄筋ユニット本体の隅に、中央部に肋筋部を有する複数本の補強屈折横筋を、縦方向に鉄筋ユニット本体の直角屈折横筋と同間隔をおいて、少なくとも１本の補強縦筋と、補強屈折横筋の肋筋部において直交溶接してなる隅補強鉄筋ユニットを、各補強屈折横筋の両端部の鉄筋ユニット本体の各直角屈折横筋の一対の直交横筋部に対する溶接を介して組付けてなる鉄筋ユニットによって解決する。
【０００７】
要約すれば、この発明の鉄筋ユニットは、それ自体周知の鉄筋ユニット本体の隅に、中央部に肋筋部を有する補強屈折横筋と補強縦筋の直交結合からなるコンパクトな構造の隅補強鉄筋ユニットを組付けることにより、隅の強度をアップするものである。
【０００８】
この発明の鉄筋ユニットにおける隅補強鉄筋ユニットを形成する補強屈折横筋は、比較的強度不足が小さい出隅の場合には、補強屈折横筋の肋筋部を、出隅内における延在長さ（延在量）が短い（小さい）直線形状にするとともに、補強縦筋数も１本のような極少数に留めることもできるが、比較的強度不足が大きい入隅の場合には、隅の作用荷重の分散性を高めるために、補強屈折横筋の肋筋部を、入隅内における延在長さ（延在量）が長い（大きい）部分方形状、部分菱形状、山形状などの屈折形状にするとともに、補強縦筋も数本にすることができる。
【０００９】
なお必要に応じて、鉄筋ユニット本体のベース筋併有縦筋のベース筋は、屈曲形にすることができ、隅補強鉄筋ユニットの縦筋は、ベース筋併有形にすることができる。
【００１０】
【発明の実施の形態】
以下図面に基づいて、この発明に係るべた基礎の立上り隅部用鉄筋ユニットの実施形態を説明する。
【００１１】
図１は、べた基礎の入隅部構築用の鉄筋ユニットの実施形態を示したもので、鉄筋ユニット本体１１は、７本の屈曲ベース筋１２ａ併有縦筋１２と一対の直交横筋部１３ａを有する４本の直角屈折横筋１３を、それぞれ横方向と縦方向に間隔をおいて直交状態でスポット溶接した構造からなっている。
【００１２】
他方隅補強鉄筋ユニット２０は、中央部に、三つの直角屈折部を有する部分方形状の肋骨部２１ａを有する４本の補強屈折横筋１６を、縦方向に鉄筋ユニット本体１１の直角屈折横筋１３と同間隔をおいて、２本の補強縦筋２２と１本の補強ベース筋２３ａ併有補強縦筋２３と、補強屈折横筋２１の肋筋部２１ａの三つの直角屈折部で直交させてスポット溶接した構造で、各補強屈折横筋２１の両端部を、鉄筋ユニット本体１１の各直角屈折横筋１３の両直交横筋部１３ａ、１３ｂにスポット溶接することにより、鉄筋ユニット本体１１の入隅に一体的に組付けてある。
【００１３】
この鉄筋ユニットの実施形態は、特に隅補強鉄筋ユニット２０を形成する補強屈折横筋２１の肋筋部２１ａを、隅内への延在長さが長い屈折形状の一つの部分方形状にすることにより、入隅相応の強度アップを得ているものである。
【００１４】
図２は、べた基礎の出隅部構築用の鉄筋ユニットの実施形態を示したもので、図１に示したものとはベース筋１７ａの延在方向が逆の鉄筋ユニット本体１６の出隅に、中央部に直線形状の肋筋部２６ａを有する４本の補強屈折横筋２６を、鉄筋ユニット本体１６の直角屈折横筋１８と同じ縦方向の離間状態で、１本の補強ベース筋２７ａ併有補強縦筋２２と、補強屈折横筋２６の肋筋部２６ａの中央で直交させてスポット溶接した構造の隅補強鉄筋ユニット２５を、各補強屈折横筋２６の両端部を、鉄筋ユニット本体１６の各直角屈折横筋１８の両直交横筋部１８ａ、１８ｂにスポット溶接することにより一体化した構造からなっている。
【００１５】
この実施形態は、出隅では、隅補強鉄筋ユニット２５を形成する補強屈折横筋２６の肋筋部２６ａを、隅内における延在長さが短い直線形状にすることで、十分な強度アップが得られることを示すもので、図１に示す実施形態に比して、構造がよりコンパクトである。
【００１６】
この発明の鉄筋ユニットは、このほか、種々の形態で実施することができるもので、上記の形態に限定されるものでないことは勿論である。
【００１７】
【発明の効果】
以上説明したように、この発明の鉄筋ユニットは、隅補強鉄筋ユニットの組付けによって、入隅又は出隅の強度をアップするもので、隅補強鉄筋ユニットの構造のコンパクト性の点から、低コストで提供することができ、実用上有用である。
【図面の簡単な説明】
【図１】この発明に係るべた基礎の入隅部構築用鉄筋ユニットの実施形態の斜視図である。
【図２】この発明に係るべた基礎の出隅部構築用鉄筋ユニットの実施形態の斜視図である。
【符号の説明】
１１    鉄筋ユニット本体
１２    ベース筋併有縦筋
１２ａ  ベース筋
１３    直角屈折横筋
１３ａ  直交横筋部
１３ｂ  直交横筋部
１６    鉄筋ユニット本体
１７    ベース筋併有縦筋
１７ａ  直角屈折横筋
１８    直角屈折横筋
１８ａ  直交横筋部
１８ｂ  直交横筋部
２０    隅補強鉄筋ユニット
２１    補強横筋
２１ａ  肋筋部
２２    補強縦筋
２３    補強ベース筋併有補強縦筋
２３ａ  補強ベース筋
２５    隅補強鉄筋ユニット
２６    補強横筋
２６ａ  肋筋部
２８    補強ベース筋併有補強縦筋
２８ａ  補強ベース筋
【図１】
2004169279.tif 000003
【図２】
2004169279.tif 000004